(57)【要約】【課題】ダムにおける光ケーブルの敷設箇所の修理や保守及び光ケーブルの張り替え作業に要する費用を低減でき、ダムにおける光ケーブルの敷設箇所の修理や保守及び光ケーブルの張り替え作業の安全性を高めることができる既設管への光ケーブル敷設構造を提供する。【解決手段】既設管１への光ケーブル敷設構造において、ダム４の堤体部５に設置された既設管１の端部には、光ケーブル７を許容される曲率半径以上の大きさの曲率半径で前記既設管１内に挿入するか、又は、前記光ケーブル７を許容される曲率半径以上の大きさの曲率半径で前記既設管１内から取り出すことを可能にするプルボックス１０が取り付けられている。【選択図】図２
2020109446.tif 000002
【特許請求の範囲】
【請求項１】
ダムの堤体部に設置された既設管の端部には、光ケーブルを許容される曲率半径以上の大きさの曲率半径で前記既設管内に挿入するか、又は、前記光ケーブルを許容される曲率半径以上の大きさの曲率半径で前記既設管内から取り出すことを可能にするプルボックスが取り付けられた、
ことを特徴とする既設管への光ケーブル敷設構造。
【請求項２】
前記プルボックスは、少なくとも、前記光ケーブルの通過を可能にする光ケーブル通過穴が形成され、前記既設管の端部を係合する既設管係合穴が形成された、
ことを特徴とする請求項１に記載の既設管への光ケーブル敷設構造。
【請求項３】
前記プルボックスは、少なくとも、前記既設管の端部を係合する既設管係合穴が一対形成された、
ことを特徴とする請求項１に記載の既設管への光ケーブル敷設構造。
【請求項４】
前記プルボックスは、直方体であり、少なくとも、一面が開閉可能である、
ことを特徴とする請求項１から請求項３のいずれかに記載の既設管への光ケーブル敷設構造。
【請求項５】
前記プルボックスは、下面に水抜き孔が形成された、
ことを特徴とする請求項４に記載の既設管への光ケーブル敷設構造。
【発明の詳細な説明】
【技術分野】
【０００１】
この発明は、ダムの堤体部等に設置された手すり等の既設管への光ケーブルの敷設構造に関するものである。
【背景技術】
【０００２】
（第１従来技術）
従来から、ダムの水位センサ等の各種装置は、ダム管理所のデータ処理装置に光ケーブルで接続され、測定データ等のダム管理用データをデータ処理装置に送信している。例えば、図８に示すように、水位センサ等の各種装置６とダム管理所２とを接続する光ケーブル７は、プラスチック管４１（塩化ビニル管等）に収容された状態でダム４の堤体部５の側壁面４２に取付金具４３で固定しているが、プラスチック管４１が外気温度の変化によって大きく膨張又は収縮して取付金具４３に繰り返し大きな負荷をかけることにより、取付金具４３が堤体部５の側壁面４２から脱落したり、プラスチック管４１が取付金具４３の腐食等によって取付金具４３から外れ、プラスチック管４１及びそのプラスチック管４１に収容された光ケーブル７がダム４の堤体部５の側壁面４２から垂れ下がるという不都合を生じる場合がある。
【０００３】
（第２従来技術）
また、他の光ケーブルの敷設方法としては、下水道管の上流側人穴と下流側人穴との間に光ケーブルを通し、台車を下水道管の内部で走行させ、光ケーブルを台車から繰り出す固定用具によって所定間隔毎に下水道管内の上部に固定する技術が知られている（特許文献１参照）。
【先行技術文献】
【特許文献】
【０００４】
【特許文献１】特開２００２−１７１６２６号公報
【発明の概要】
【発明が解決しようとする課題】
【０００５】
第１従来技術の場合には、作業者がダム４の堤体部５からダム湖面側に特殊車両や吊り梯子を使用して乗り出して取付金具４３の取り替えや修理を行っていた。また、作業者は、光ケーブル７を張り替える場合にも、ダム４の堤体部５からダム湖面側に特殊車両や吊り梯子を使用して乗り出して光ケーブル７の張り替え作業を行っていた。したがって、このような第１従来技術の光ケーブル１の敷設方法は、光ケーブル敷設箇所の修理や保守及び光ケーブル７の張り替え作業に多額の費用がかかると共に、作業の安全性が問題になっていた。
【０００６】
また、第２従来技術に係る光ケーブルの敷設方法は、大口径の下水道管内に光ケーブルを敷設することが前提であり、ダムの堤体部の手すりやダムのフェンスのパイプ状枠体等の既設管に光ケーブルを敷設するためのものではない。
【０００７】
そこで、本発明は、ダムにおける光ケーブルの敷設箇所の修理や保守及び光ケーブルの張り替え作業に要する費用を低減でき、ダムにおける光ケーブルの敷設箇所の修理や保守及び光ケーブルの張り替え作業の安全性を高めることができる既設管への光ケーブル敷設構造を提供する。
【課題を解決するための手段】
【０００８】
本発明は、既設管１への光ケーブル敷設構造に関するものである。本発明において、ダム４の堤体部５に設置された既設管１の端部には、光ケーブル７を許容される曲率半径以上の大きさの曲率半径で前記既設管１内に挿入するか、又は、前記光ケーブル７を許容される曲率半径以上の大きさの曲率半径で前記既設管１内から取り出すことを可能にするプルボックス１０が取り付けられている。
【発明の効果】
【０００９】
本発明に係る既設管への光ケーブル敷設構造は、ダムの堤体部に設置された手すりやダムのフェンスのパイプ状枠体等の既設管内に光ケーブルを敷設することにより、ダムにおける光ケーブルの敷設箇所の修理や保守及び光ケーブルの張り替え作業に要する費用を低減でき、ダムにおける光ケーブルの敷設箇所の修理や保守及び光ケーブルの張り替え作業の安全性を高めることができる。
【図面の簡単な説明】
【００１０】
【図１】本発明の実施例に係る既設管への光ケーブル敷設構造を示す図である。
【図２】図１に示した既設管への光ケーブル敷設構造の一部を斜め上方から見た図である。
【図３】プルボックスの詳細を示す図であり、図３（ａ）がプルボックスの正面図、図３（ｂ）がプルボックスの平面図、図３（ｃ）がプルボックスの右側面図、図３（ｄ）がプルボックスの左側面図、図３（ｅ）がプルボックスの背面図、図３（ｆ）がプルボックスの裏面図である。
【図４】プルボックスから蓋を取り外した状態のプルボックス本体の詳細を示す図であり、図４（ａ）がプルボックス本体の正面図、図４（ｂ）がプルボックス本体の平面図、図４（ｃ）がプルボックス本体の右側面図、図４（ｄ）がプルボックス本体の左側面図、図４（ｅ）がプルボックス本体の背面図、図４（ｆ）がプルボックス本体の裏面図である。
【図５】既設管又は保護管とプルボックスとを固定する固定金具の使用状態を示す図であり、図５（ａ）が固定金具の使用状態を示す正面図、図５（ｂ）が固定金具の使用状態を示す側面図、図５（ｃ）が固定金具の使用状態を示す平面図である。
【図６】本発明の変形例１に係る既設管への光ケーブル敷設構造を示す図である。
【図７】本発明の変形例２に係る既設管への光ケーブル敷設構造を示す図である。
【図８】従来の光ケーブル敷設構造を示す図である。
【発明を実施するための形態】
【００１１】
以下、本発明の実施例を図面に基づき詳述する。
【００１２】
図１は、本発明の実施例に係る既設管１への光ケーブル敷設構造を示す図である。また、図２は、図１に示した既設管１への光ケーブル敷設構造の一部を斜め上方から見た図である。
【００１３】
これらの図に示すように、ダム管理所２のデータ処理装置３は、ダム４の堤体部５の上部に設置され、ダム４の水位センサ等の各種装置６に光ケーブル７で接続され、水位センサ等の各種装置６から送信されるダム管理用データを受信するようになっている。
【００１４】
光ケーブル７は、装置６から延びる保護管８内と、保護管８が取り付けられるプルボックス１０内と、このプルボックス１０が取り付けられる丸パイプ状の既設管（手すり）１内と、を経由してデータ処理装置３に接続されている。
【００１５】
既設管１は、金属（例えば、鉄）製であり、ダム４の堤体部５の上部通路１１に沿って略等間隔で複数設置された支持体１２に固定され、一端から他端まで内部空間１３が貫通している。そして、既設管１の一端には、プルボックス１０が取り付けられている。
【００１６】
プルボックス１０は、直方体状に形成されており、一側面１０ａに既設管１を挿入するための既設管係合穴１４が形成され、底面１０ｆに光ケーブル７の通過を可能にするための光ケーブル通過穴１５が形成されている（図３及び図４参照）。このプルボックス１０の光ケーブル通過穴１５は、装置６から延びる保護管８（塩化ビニル等のプラスチック管）の端部を挿入できるようになっている。また、このプルボックス１０において、内部空間１６の大きさ、光ケーブル通過穴１５及び既設管係合穴１４の位置は、光ケーブル７を許容される曲率半径以上の大きさの曲率半径で通過させることができる（保護管８から取り出した光ケーブル７を既設管１の内部空間１３に挿入できる）ように設計されている。
【００１７】
図３は、プルボックス１０の詳細を示す図である。また、図４は、プルボックス１０の上面１０ｅになる蓋１７を取り外した状態のプルボックス本体１８の詳細を示す図である。これらの図に示すように、プルボックス１０は、プルボックス本体１８が上方に向かって開口し、そのプルボックス本体１８の上部開口端２０が蓋１７で開閉されるようになっている。プルボックス本体１８は、蓋１７の側壁１７ａを係合する蓋取付部２１が四側面１８ａ〜１８ｄの上端側に形成され、蓋１７の側壁１７ａをねじ２２で固定するためのねじ穴２３が蓋取付部２１の四側面１８ａ〜１８ｄに形成されている。そして、蓋１７は、パッキン（封止材）２４を介してプルボックス１０の蓋取付部２１にねじ２２で着脱可能に固定される。また、プルボックス本体１８の右側面１０ａには、既設管係合穴１４が形成されている。また、プルボックス本体１８の底面１０ｆには、光ケーブル通過穴１５が形成されている。このように、プルボックス１０は、蓋１７をプルボックス本体１８から取り外し、プルボックス本体１８の上部開口端２０を開口させることにより、既設管１の固定作業及び保護管８の固定作業を容易に行うことが可能になる。なお、プルボックス本体１８の底面１０ｆには、必要に応じて少なくとも１箇所の水抜き孔２５が形成される。また、蓋１７は、四側壁１７ａの先端とプルボックス本体１８の蓋取付部２１の下面との間にパッキン２４を挟み、プルボックス本体１８内への水の浸入を防止しているが、これに限られず、プルボックス本体１８の上端との間にパッキンを挟むようにして、プルボックス本体１８内への水の浸入を防止するようにしてもよい。また、プルボックス１０は、上面１０ｅ側を蓋１７にして開閉できるようにしたが、これに限られず、一側面（１０ａ〜１０ｄ）を蓋にして開閉できるようにしてもよく、また、上面１０ｅ側及び側面（１０ａ〜１０ｄ）を蓋にして開閉できるようにしてもよい。
【００１８】
図５は、既設管１（又は保護管８）とプルボックス１０とを固定する固定金具２６の使用状態を示す図である。この図５に示すように、固定金具２６は、プルボックス１０の内壁面２７にねじ２８で固定される略Ｌ字形状の固定部３０と、この固定部３０の先端に一体に形成され且つ既設管１（又は保護管８）の形状に沿うように湾曲成形された保持部３１と、この保持部３１から立ち上がるように一体形成された締め付け部３２と、を有している。そして、このような固定金具２６は、向かい合わせで一対使用され、既設管１（又は保護管８）の端部をプルボックス１０の内壁面２７に固定する。また、一対の固定金具２６，２６は、締め付け部３２に取り付けられたボルト３３を操作することにより、対向する一対の締め付け部３２，３２の間隔を変化させ、既設管１（又は保護管８）の締め付け力を調整できる。このように固定金具２６を使用することにより、プルボックス１０が既設管１の一端側と保護管８の一端側に着脱可能に固定される。なお、この既設管１（又は保護管８）とプルボックス１０とを固定金具２６で固定する作業は、プルボックス１０の蓋１７を取り外すことにより、プルボックス本体１８の上方側から行うことができる。
【００１９】
なお、既設管１は、ダム４の堤体部５の手すりを例示したが、これに限られず、光ケーブル７の通過が可能な空間を有するフェンスのパイプ状枠体等も該当する。
【００２０】
以上のような本実施例に係る既設管１への光ケーブル敷設構造によれば、ダム４の堤体部５に設置された手すりやダム４のフェンスのパイプ状枠体等の既設管１内に光ケーブル７を敷設することにより、作業者がダム４の堤体部５からダム湖面側に特殊車両や吊り梯子を使用して乗り出して光ケーブル７の敷設箇所の修理や保守及び光ケーブル７の張り替え作業をする必要がなくなるため、ダム４における光ケーブル７の敷設箇所の修理や保守及び光ケーブル７の張り替え作業に要する費用を低減でき、ダム４における光ケーブル７の敷設箇所の修理や保守及び光ケーブル７の張り替え作業の安全性を高めることができる。
【００２１】
（変形例１）
図６は、本発明の変形例１に係る既設管１への光ケーブル敷設構造を示す図である。この図６に示すように、本変形例１におけるプルボックス１０は、第１既設管１Ａの端部に係合される第１既設管係合穴１４が左側面１０ｃに形成され、第１既設管１Ａに対して直線状に位置する第２既設管１Ｂの端部に係合される第２既設管係合穴１４が右側面１０ａに形成され、保護管８の端部に係合される光ケーブル通過穴１５が底面１０ｆに形成されている。このようなプルボックス１０は、保護管８から第２既設管１Ｂへ延びる光ケーブル７を許容される曲率半径以上の曲率半径で通過させることができ、第１既設管１Ａから第２既設管１Ｂへ延びる光ケーブル７を直線状に（許容される曲率半径以上の曲率半径で）通過させることができる。
【００２２】
（変形例２）
図７は、本発明の変形例２に係る既設管１への光ケーブル敷設構造を示す図である。この図７に示すように、本変形例２におけるプルボックス１０は、第１既設管１Ａの端部に係合される第１既設管係合穴１４と、第１既設管１Ａに対して段差を有する第２既設管１Ｂの端部に係合される第２既設管係合穴１４と、が対向する側面１０ａ，１０ｃに形成されている。そして、本変形例２に係る既設管１への光ケーブル敷設構造は、プルボックス１０内を通過する光ケーブル７の曲率半径が許容曲率半径以上になるように、第１既設管１Ａの端部と第２既設管１Ｂの端部との間の間隔を調節し（必要に応じて第１既設管１Ａ又は第２既設管１Ｂを切断し）、プルボックス１０の大きさを決定する。
【００２３】
（他の変形）
なお、図１に示すように、プルボックス１０は、光ケーブル７を既設管１内に挿入する側に設置する態様に限定されず、光ケーブル７を既設管１内から取り出す側にも設置し、既設管１内から取り出した光ケーブル７を許容曲率半径以上の曲率半径でダム管理所２に引き入れるようにしてもよい。
【００２４】
また、プルボックス１０は、図５の固定金具２６を使用して既設管１に固定せず、台座（図示せず）等を介してダム４の堤体部５に固定するか、又はダム４の堤体部５に直接固定してもよい。
【００２５】
また、プルボックス１０は、上記実施例及び各変形例に限らず、底面１０ｆに複数の保護管８を接続させ、また、少なくとも一側面（１０ａ〜１０ｄ）に保護管を接続させるようにしてもよい。
【００２６】
また、プルボックス１０は、既設管係合穴１４と既設管１との隙間、光ケーブル通過穴１５と保護管８との隙間にコーキング材（シリコーン系樹脂、ポリウレタン系樹脂等の充填材）を充填し、気密性、防水性を高めるようにしてもよい。
【符号の説明】
【００２７】
１……既設管、４……ダム、５……堤体部、７……光ケーブル、１０……プルボックス
【図１】
2020109446.tif 000003
【図２】
2020109446.tif 000004
【図３】
2020109446.tif 000005
【図４】
2020109446.tif 000006
【図５】
2020109446.tif 000007
【図６】
2020109446.tif 000008
【図７】
2020109446.tif 000009
【図８】
2020109446.tif 000010